(57)【要約】【課題】貯留タンクから搬送される粗軽油に含まれる異物を捕獲し、その捕獲した異物を容易に除去することができる粗軽油搬送システム及びこれに用いられるマグネットフィルタを提供する。【解決手段】貯留タンク１１から搬送路１５に搬送された粗軽油に含まれる異物を、搬送路１５に設けられた異物分離装置１３により捕獲し、粗軽油とともに分岐口１３３から分岐路１６内に排出する。そして、分岐路１６内を流れる粗軽油に含まれる異物を、マグネットフィルタ１４で磁力によって捕獲する。このように、搬送路１５に設けられた異物分離装置１３を開放して異物を除去するのではなく、異物分離装置１３の分岐口１３３から分岐した分岐路１６に設けられているマグネットフィルタ１４によって、貯留タンク１１から搬送される粗軽油に含まれる異物を捕獲し、その捕獲した異物を容易に除去することができる。【選択図】          図１
2010215766.tif 000002
【特許請求の範囲】
【請求項１】
コークスの製造時に発生するコークス炉ガスの精製工程で副生する粗軽油を搬送するための粗軽油搬送システムであって、
上記粗軽油を貯留する貯留タンクと、
上記貯留タンク内に貯留されている上記粗軽油を外部に搬送する搬送路と、
上記搬送路に設けられ、流入口から流入する上記粗軽油に含まれる異物を捕獲し、異物捕獲後の上記粗軽油を流出口から排出するとともに、捕獲した異物を上記粗軽油とともに分岐口から排出する異物分離装置と、
上記異物分離装置の上記分岐口に接続された分岐路と、
上記分岐路に設けられ、当該分岐路内を流れる上記粗軽油に含まれる異物を磁力によって捕獲するマグネットフィルタとを備えたことを特徴とする粗軽油搬送システム。
【請求項２】
上記異物分離装置が、捕獲した異物を上記粗軽油とともに自動的に上記分岐口から排出することを特徴とする請求項１に記載の粗軽油搬送システム。
【請求項３】
上記マグネットフィルタが、上記分岐路内における上記粗軽油の流通方向に対して直交方向に延び、上記分岐路内を流れる上記粗軽油に接触して磁力により異物を捕獲することを特徴とする請求項１又は２に記載の粗軽油搬送システム。
【請求項４】
上記マグネットフィルタが、上記分岐路に対して着脱可能であることを特徴とする請求項１〜３のいずれかに記載の粗軽油搬送システム。
【請求項５】
上記マグネットフィルタが、電磁石を含み、
上記電磁石に対する通電を制御するための通電制御部を備えたことを特徴とする請求項１〜４のいずれかに記載の粗軽油搬送システム。
【請求項６】
コークスの製造時に発生するコークス炉ガスの精製工程で副生して貯留タンク内に貯留された粗軽油から異物を捕獲するためのマグネットフィルタであって、
上記貯留タンクから上記粗軽油を外部に搬送する搬送路に対して分岐した分岐路に設けられ、当該分岐路内を流れる上記粗軽油に含まれる異物を磁力によって捕獲することを特徴とするマグネットフィルタ。
【請求項７】
上記分岐路に対して着脱可能であることを特徴とする請求項６に記載のマグネットフィルタ。
【請求項８】
電磁石を備えたことを特徴とする請求項６又は７に記載のマグネットフィルタ。
【発明の詳細な説明】
【技術分野】
【０００１】
本発明は、コークスの製造時に発生するコークス炉ガスの精製工程で副生する粗軽油を搬送するための粗軽油搬送システム及びこれに用いられるマグネットフィルタに関し、特に、粗軽油の搬送時に当該粗軽油中に同伴する鉄分などの異物を除去するための異物分離装置の開放を必要としない粗軽油搬送システム及びこれに用いられるマグネットフィルタに関するものである。
【背景技術】
【０００２】
コークスの製造時にコークス炉から排出されるガス（以下、「コークス炉ガス」と呼ぶ。）には、アンモニア、硫化水素、粗軽油などの各種成分が含まれている。従来から、これらのコークス炉ガスに含まれる成分を副産物として回収する技術が知られている（例えば、特許文献１参照）。
【０００３】
コークス炉ガスから回収された粗軽油は、ベンゼン、トルエン、キシレンを主成分としており、有用な化学原料となる。前記粗軽油は、貯留タンク内に一旦貯留され、必要に応じて当該貯留タンクから搬出されて、タンクローリーや船で化学原料として出荷される。しかしながら、一般的に、設備が数十年も経過するとコークス炉から貯留タンクに至る配管の内壁、貯留タンクの内壁及び出荷配管の内壁などには鉄錆が生じ、この鉄錆が貯留タンク内に堆積する。前記粗軽油を出荷する場合、前記貯留タンク内に堆積した鉄錆が粗軽油とともに貯留タンクから同伴されるのを防止するため、通常、貯留タンクから供給される粗軽油を搬送する搬送路の途中には、搬送される粗軽油に含まれる鉄錆を捕獲するための異物分離装置が備えられている。
【先行技術文献】
【特許文献】
【０００４】
【特許文献１】特開２００３−１０６４１号公報
【発明の概要】
【発明が解決しようとする課題】
【０００５】
異物分離装置には、粗軽油中から捕獲された鉄錆などの異物が堆積するため、定期的に当該異物分離装置を開放し、堆積している異物を除去する作業を行う必要がある。しかしながら、粗軽油の搬送路に設けられる異物分離装置は比較的大きな装置であるため、当該異物分離装置を開放する作業は大掛かりとなり、異物の除去作業を短時間で行うことが比較的難しい。そのため、異物の除去作業中に粗軽油の有害な揮発成分の大気放散や臭気が発生し、作業者の人体や環境に対する影響も無視することができないといった問題がある。
【０００６】
本発明は、上記実情に鑑みてなされたものであり、貯留タンクから搬送される粗軽油に含まれる異物を捕獲し、その捕獲した異物を容易に除去することができる粗軽油搬送システム及びこれに用いられるマグネットフィルタを提供することを目的とする。
【課題を解決するための手段】
【０００７】
第１の本発明に係る粗軽油搬送システムは、コークスの製造時に発生するコークス炉ガスの精製工程で副生する粗軽油を搬送するための粗軽油搬送システムであって、上記粗軽油を貯留する貯留タンクと、上記貯留タンク内に貯留されている上記粗軽油を外部に搬送する搬送路と、上記搬送路に設けられ、流入口から流入する上記粗軽油に含まれる異物を捕獲し、異物捕獲後の上記粗軽油を流出口から排出するとともに、捕獲した異物を上記粗軽油とともに分岐口から排出する異物分離装置と、上記異物分離装置の上記分岐口に接続された分岐路と、上記分岐路に設けられ、当該分岐路内を流れる上記粗軽油に含まれる異物を磁力によって捕獲するマグネットフィルタとを備えたことを特徴とする。
【０００８】
このような構成によれば、貯留タンクから搬送路に搬送された粗軽油に含まれる異物が、搬送路に設けられた異物分離装置により捕獲され、粗軽油とともに分岐口から分岐路内に排出される。そして、分岐路内を流れる粗軽油に含まれる異物が、マグネットフィルタで磁力によって捕獲される。このように、搬送路に設けられた異物分離装置を開放して異物を除去するのではなく、異物分離装置の分岐口から分岐した分岐路に設けられているマグネットフィルタによって、貯留タンクから搬送される粗軽油に含まれる異物を捕獲し、その捕獲した異物を容易に除去することができる。
【０００９】
第２の本発明に係る粗軽油搬送システムは、上記異物分離装置が、捕獲した異物を上記粗軽油とともに自動的に上記分岐口から排出することを特徴とする。
【００１０】
このような構成によれば、異物分離装置により捕獲された異物が、粗軽油とともに自動的に分岐口から分岐路内に排出され、当該分岐路内において上記異物がマグネットフィルタにより捕獲される。すなわち、貯留タンクから搬送される粗軽油に含まれる異物を自動的に分岐路へと分岐させ、マグネットフィルタにより捕獲することができるので、異物を容易に捕獲することができる。
【００１１】
第３の本発明に係る粗軽油搬送システムは、上記マグネットフィルタが、上記分岐路内における上記粗軽油の流通方向に対して直交方向に延び、上記分岐路内を流れる上記粗軽油に接触して磁力により異物を捕獲することを特徴とする。
【００１２】
このような構成によれば、分岐路内における粗軽油の流通方向に対して直交方向に延びるマグネットフィルタに、分岐路内を流れる粗軽油が接触し、当該粗軽油に含まれる異物が磁力によって捕獲される。これにより、貯留タンクから搬送される粗軽油に含まれる異物を簡単な構成で良好に捕獲することができる。
【００１３】
第４の本発明に係る粗軽油搬送システムは、上記マグネットフィルタが、上記分岐路に対して着脱可能であることを特徴とする。
【００１４】
このような構成によれば、マグネットフィルタを分岐路から取り外すことにより、当該マグネットフィルタにより捕獲した異物を容易に除去することができる。
【００１５】
第５の本発明に係る粗軽油搬送システムは、上記マグネットフィルタが、電磁石を含み、上記電磁石に対する通電を制御するための通電制御部を備えたことを特徴とする。
【００１６】
このような構成によれば、電磁石に対する通電を行うことにより、当該電磁石から発生する磁力によって、分岐路内を流れる粗軽油から異物を捕獲することができる。また、電磁石に対する通電を所望のタイミングで停止することにより、捕獲した異物を容易に除去することができる。このように電磁石に対する通電の停止によって異物を除去するような構成の場合には、マグネットフィルタを取り外すことなく異物を除去することができるので、異物の除去作業中に粗軽油の有害な揮発成分の大気放散や臭気が発生するのを効果的に防止することができる。
【００１７】
第６の本発明に係るマグネットフィルタは、コークスの製造時に発生するコークス炉ガスの精製工程で副生して貯留タンク内に貯留された粗軽油から異物を捕獲するためのマグネットフィルタであって、上記貯留タンクから上記粗軽油を外部に搬送する搬送路に対して分岐した分岐路に設けられ、当該分岐路内を流れる上記粗軽油に含まれる異物を磁力によって捕獲することを特徴とする。
【００１８】
このような構成によれば、貯留タンクから搬送路に搬送された粗軽油に含まれる異物が、搬送路に対して分岐した分岐路内において、マグネットフィルタで磁力によって捕獲される。このように、搬送路に設けられた異物分離装置を開放して異物を除去するのではなく、搬送路から分岐した分岐路に設けられているマグネットフィルタによって、貯留タンクから搬送される粗軽油に含まれる異物を捕獲し、その捕獲した異物を容易に除去することができる。
【００１９】
上記マグネットフィルタは、上記分岐路に対して着脱可能であってもよい。また、上記マグネットフィルタは、電磁石を備えていてもよい。
【発明の効果】
【００２０】
本発明によれば、搬送路から分岐した分岐路に設けられているマグネットフィルタによって、貯留タンクから搬送される粗軽油に含まれる異物を捕獲し、その捕獲した異物を容易に除去することができる。
【図面の簡単な説明】
【００２１】
【図１】本発明の第１実施形態に係る粗軽油搬送システムの一例を示したブロック図である。
【図２】分岐路の一部を示した斜視図であって、マグネットフィルタが取り付けられた状態を示している。
【図３】分岐路の一部を示した斜視図であって、マグネットフィルタが取り外された状態を示している。
【図４】マグネットフィルタの構成を示した斜視図である。
【図５】本発明の第２実施形態に係る粗軽油搬送システムの一例を示したブロック図である。
【発明を実施するための形態】
【００２２】
＜第１実施形態＞
図１は、本発明の第１実施形態に係る粗軽油搬送システム１の一例を示したブロック図である。この粗軽油搬送システム１は、コークスの製造時にコークス炉２から排出されるコークス炉ガスから副産物として回収された粗軽油を搬送するためのシステムである。
【００２３】
コークスは、コークス炉２で石炭が乾留されることにより生成され、ＣＤＱ（乾式消火設備）３により冷却された後、高炉４に搬入される。コークス炉２で石炭が乾留される際には、コークス炉２内でガスが発生し、当該ガスがコークス炉ガスとして回収装置５に送られる。コークス炉ガスには、アンモニア、硫化水素、粗軽油などの各種成分が含まれており、これらの成分ごとに回収装置５により副産物として回収される。このようにして回収される各成分のうち、粗軽油は、粗軽油搬送システム１に備えられた貯留タンク１１内に貯留される。
【００２４】
粗軽油搬送システム１には、上記貯留タンク１１の他に、ポンプ１２、異物分離装置１３、マグネットフィルタ１４、搬送路１５及び分岐路１６などが備えられている。搬送路１５及び分岐路１６は、それぞれ配管により構成されている。貯留タンク１１内に貯留されている粗軽油は、必要に応じて、搬送路１５を介して貯留タンク１１の外部に搬送され、船などに積み込まれて出荷される。搬送路１５を介して粗軽油を搬送する際には、搬送路１５に設けられたポンプ１２が駆動され、搬送路１５における当該ポンプ１２よりも下流側に設けられた異物分離装置１３を通って粗軽油が搬送される。
【００２５】
異物分離装置１３は、搬送路１５内を流れる粗軽油から異物を分離するための装置である。上記異物としては、例えば貯留タンク１１の内壁やコークス炉２から貯留タンク１１に至る配管の内壁などに生じた鉄錆を挙げることができる。異物分離装置１３には、搬送路１５内を流れる粗軽油が流入する流入口１３１と、異物が分離された後の粗軽油を下流側の搬送路１５に排出する流出口１３２と、搬送路１５を分岐するための分岐口１３３とが備えられている。流入口１３１、流出口１３２及び分岐路１３３には、それぞれ開閉弁（図示せず）が設けられている。
【００２６】
流入口１３１及び流出口１３２が開かれるとともに分岐口１３３が閉じられた状態で、ポンプ１２が駆動されることにより搬送路１５内を粗軽油が搬送されているときには、流入口１３１から異物分離装置１３内に流入する粗軽油に含まれる異物が、当該異物分離装置内に備えられたメッシュ状のストレーナ１３４により捕獲される。ストレーナ１３４は、例えば有底円筒状に形成されている。
【００２７】
ストレーナ１３４により捕獲された異物は、粗軽油とともに分岐口１３３から排出される。具体的には、異物分離装置１３の流入口１３１及び流出口１３２には、それぞれ流圧を測定するための圧力計（図示せず）が設けられており、各圧力計における測定値の圧力差が一定値以上になった場合、すなわち流出口１３２における流圧が流入口１３１における流圧よりも上記一定値以上小さくなった場合に、所定量以上の異物が捕獲されたと判断され、その捕獲された異物が自動的に分岐口１３３から排出されるようになっている。このとき、流入口１３１及び分岐口１３３が開かれるとともに流出口１３２が閉じられた状態で、流入口１３１から異物分離装置１３内に粗軽油が供給されるとともに、ストレーナ１３４に付着している異物が、流入する粗軽油の圧力又は別途設けられたブラシ等によってストレーナ１３４から分離されることにより、異物を含む粗軽油が分岐口１３３に接続された分岐路１６に排出される。
【００２８】
このように、異物分離装置１３により捕獲された異物を定期的に異物分離装置１３から排出することにより、ストレーナ１３４の目詰まりを防止し、効率よく粗軽油を搬送することができる。ただし、異物分離装置１３が捕獲した異物を分岐口１３３から排出する動作は、上記のように流入口１３１及び流出口１３２に備えられた圧力計による測定値の圧力差に基づいて行われるような構成に限らず、流入口１３１又は流出口１３２のいずれか一方の圧力に基づいて行われるような構成や、圧力以外の測定値に基づいて行われるような構成、所定時間ごとに定期的に行われるような構成などであってもよい。また、異物分離装置１３が、捕獲した異物を分岐口１３３から自動的に排出するような構成に限らず、作業者の操作に基づいて排出するような構成であってもよい。
【００２９】
分岐路１６は、貯留タンク１１へと連通しており、その途中で脱水処理などが施されるようになっている。当該分岐路１６は、その内径が搬送路１５の内径よりも小さく、例えば搬送路１５の内径の１／３〜１／１０程度の内径からなる。分岐路１６の途中には、磁石を備えたマグネットフィルタ１４が設けられている。このマグネットフィルタ１４は、異物分離装置１３より分岐して分岐路１６内を流れる粗軽油から、鉄錆などの異物を磁力によって捕獲する。本実施形態では、マグネットフィルタ１４が、分岐路１６に対して着脱可能に構成されている。
【００３０】
図２は、分岐路１６の一部を示した斜視図であって、マグネットフィルタ１４が取り付けられた状態を示している。図３は、分岐路１６の一部を示した斜視図であって、マグネットフィルタ１４が取り外された状態を示している。図４は、マグネットフィルタ１４の構成を示した斜視図である。
【００３１】
分岐路１６は配管１６１により形成されており、当該配管１６１の外周面には円形の開口部１６２が形成されている。当該開口部１６２の内径は、例えば１００ｍｍ〜２００ｍｍである。マグネットフィルタ１４は、分岐路１６内における粗軽油の流通方向Ａに対して直交方向Ｂにスライドさせるようにして、開口部１６２に対して着脱することができる。開口部１６２には、その周縁部に沿って環状のパッキン１６３が設けられている。
【００３２】
マグネットフィルタ１４は、それぞれ棒状に形成された複数本の捕獲部１４１と、これらの捕獲部１４１を保持する保持部１４２と、保持部１４２に設けられた把持部１４３とが一体的に形成されることにより構成されている。各捕獲部１４１は、互いに所定間隔を隔てて平行に延びるように保持部１４２に固定されており、それぞれに磁石が備えられている。保持部１４２は、開口部１６２よりも大きい円板状に形成され、その一方の面に上記複数本の捕獲部１４１が固定されるとともに、他方の面に略Ｕ字状の把持部１４３の両端部が固定されている。
【００３３】
配管１６１にマグネットフィルタ１４を取り付ける際には、作業者により把持部１４３が把持され、複数本の捕獲部１４１が上記直交方向Ｂに沿って開口部１６２から挿入される。そして、保持部１４２がパッキン１６３に当接した状態で、当該保持部１４２により開口部１６２が覆われ、この状態で固定具１６４を用いて保持部１４２が開口部１６２に固定される。上記固定具１６４としては、例えば保持部１４２及び開口部１６２の各周縁部を挟み込むようにして固定するような構成のものを採用することができる。
【００３４】
このようにして配管１６１に取り付けられたマグネットフィルタ１４は、上記直交方向Ｂに沿って延びており、その捕獲部１４１が配管１６１内に位置することにより、当該捕獲部１４１が分岐路１６内を流れる粗軽油に接触して磁力により異物が捕獲される。すなわち、分岐路１６内を流れる粗軽油は、互いに所定間隔を隔てて平行に延びる複数本の捕獲部１４１の間を流通し、その過程で当該粗軽油に含まれる異物が各捕獲部１４１により捕獲されるようになっている。
【００３５】
配管１６１からマグネットフィルタ１４を取り外す際には、固定具１６４を取り外した後、作業者が把持部１４３を把持し、上記直交方向Ｂに沿って開口部１６２から抜脱することにより、容易に取り外すことができる。
【００３６】
本実施形態では、貯留タンク１１から搬送路１５に搬送された粗軽油に含まれる異物が、搬送路１５に設けられた異物分離装置１３により捕獲され、粗軽油とともに分岐口１３３から分岐路１６内に排出される。そして、分岐路１６内を流れる粗軽油に含まれる異物が、マグネットフィルタ１４で磁力によって捕獲される。このように、搬送路１５に設けられた異物分離装置１３を開放して異物を除去するのではなく、異物分離装置１３の分岐口１３３から分岐した分岐路１６に設けられているマグネットフィルタ１４によって、貯留タンク１１から搬送される粗軽油に含まれる異物を捕獲し、その捕獲した異物を容易に除去することができる。
【００３７】
特に、本実施形態では、異物分離装置１３により捕獲された異物が、粗軽油とともに自動的に分岐口１３３から分岐路１６内に排出され、当該分岐路１６内において上記異物がマグネットフィルタ１４により捕獲される。すなわち、貯留タンク１１から搬送される粗軽油に含まれる異物を自動的に分岐路１６へと分岐させ、マグネットフィルタ１４により捕獲することができるので、異物を容易に捕獲することができる。
【００３８】
また、本実施形態では、分岐路１６内における粗軽油の流通方向Ａに対して直交方向Ｂに延びるマグネットフィルタ１４に、分岐路１６内を流れる粗軽油が接触し、当該粗軽油に含まれる異物が磁力によって捕獲される。これにより、貯留タンク１１から搬送される粗軽油に含まれる異物を簡単な構成で良好に捕獲することができる。
【００３９】
さらに、本実施形態では、マグネットフィルタ１４が分岐路１６に対して着脱可能に構成されているため、マグネットフィルタ１４を分岐路１６から取り外すことにより、当該マグネットフィルタ１４により捕獲した異物を容易に除去することができる。
【００４０】
＜第２実施形態＞
図５は、本発明の第２実施形態に係る粗軽油搬送システム１の一例を示したブロック図である。この粗軽油搬送システム１は、マグネットフィルタ１４に関する構成のみが第１実施形態と異なるため、第１実施形態と同様の構成については、図に同一符号を付して説明を省略することとする。
【００４１】
本実施形態では、マグネットフィルタ１４が電磁石１４Ａを備えている。当該電磁石１４Ａの構成としては、鉄芯にコイルを巻回することにより形成されるような一般的な構成を採用することができる。電磁石１４Ａに対する通電は、通電制御部１７により制御することができる。
【００４２】
上記のような構成によれば、電磁石１４Ａに対する通電を行うことにより、当該電磁石１４Ａから発生する磁力によって、分岐路１６内を流れる粗軽油から異物を捕獲することができる。また、電磁石１４Ａに対する通電を所望のタイミングで停止することにより、捕獲した異物を容易に除去することができる。電磁石１４Ａにより捕獲した異物を当該電磁石１４Ａから除去する際には、異物捕獲後の粗軽油の流路が電磁弁などによって閉鎖され、別個に設けられた異物回収タンク内に除去された異物が回収されるような構成となっていてもよい。この場合、上記異物回収タンクには、当該異物回収タンク内に回収された異物を確認するための窓（例えばガラス窓）が設けられていてもよい。
【００４３】
このように電磁石１４Ａに対する通電の停止によって異物を除去するような構成の場合には、マグネットフィルタ１４を取り外すことなく異物を除去することができるので、異物の除去作業中に粗軽油の有害な揮発成分の大気放散や臭気が発生するのを効果的に防止することができる。
【００４４】
以上の実施形態では、配管１６１の外周面に開口部１６２が形成され、当該開口部１６２から配管１６１内の分岐路１６にマグネットフィルタ１４が挿入されるような構成について説明したが、このような構成に限らず、配管１６１の開口部１６２に対応する位置に凹部が形成され、当該凹部内にマグネットフィルタ１４が挿入されるような構成であってもよい。上記マグネットフィルタ１４は、第１実施形態のように磁石（永久磁石）を用いたものであってもよいし、第２実施形態のように電磁石１４Ａを用いたものであってもよい。上記のような構成によれば、配管１６１内の分岐路１６には、上記凹部に対応する凸部が粗軽油の流通方向Ａに対して直交方向Ｂに突出するように形成され、分岐路１６内を流れる粗軽油が上記凸部に接触することにより、粗軽油に含まれる異物が凸部内に配置されているマグネットフィルタ１４の磁力によって凸部に付着する。
【００４５】
上記のように、マグネットフィルタ１４によって異物を直接捕獲するのではなく、マグネットフィルタ１４が収容されている凸部によって異物を捕獲するような構成によれば、所望のタイミングでマグネットフィルタ１４を取り外し、凸部に作用する磁力を解除することにより、当該凸部に付着していた異物を落下させて別の配管へと導き、容易に除去することができる。このように配管１６１の外周面に開口部１６２が形成されていない構成では、マグネットフィルタ１４を取り外した場合であっても、粗軽油の有害な揮発成分の大気放散や臭気が発生することがない。
【符号の説明】
【００４６】
１    粗軽油搬送システム
２    コークス炉
１１    貯留タンク
１３    異物分離装置
１４    マグネットフィルタ
１４Ａ  電磁石
１５    搬送路
１６    分岐路
１７    通電制御部
１３１    流入口
１３２    流出口
１３３    分岐口
１３４    ストレーナ
１４１    捕獲部
１４２    保持部
１４３    把持部
【図１】
2010215766.tif 000003
【図２】
2010215766.tif 000004
【図３】
2010215766.tif 000005
【図４】
2010215766.tif 000006
【図５】
2010215766.tif 000007